(57)【要約】【課題】  不正な設定変更操作を確実に阻止するとともに、正規の設定変更操作時の作業効率を向上する。【解決手段】  正面方向（Ａ）に開口した筐体１ｂと、筐体１ｂの開口を開閉可能に覆う前扉１ａと、筐体１ｂ内部に設けられ、設定確率を変更する場合に操作される操作部が配置された電源装置９と、を備えるスロットマシン１であって、操作部を操作不能に覆うカバー１０と、カバー１０と係合し、正面方向（Ａ）に沿って、進退可能な棒材であって、筐体１ｂ内部から所定の位置まで引出される間は、少なくともカバー１０の開放を制限するとともに、所定の位置まで引出されたときには、この制限を解除する引出棒１１と、を備え、引出棒１１を、前扉１ａが閉状態において、所定の位置まで引出し不能とした構成としてある。【選択図】      図２
2010063653.tif 000002
【特許請求の範囲】
【請求項１】
正面方向に開口した筐体と、前記筐体の正面方向開口を開閉可能に覆う前扉と、前記筐体内部に設けられ、抽せん確率を設定変更する場合に操作される操作部が配置された所定の装置と、を備えるスロットマシンであって、
前記操作部を操作不能に覆うカバーと、
このカバーと係合し、正面方向に沿って、進退可能な棒材であって、
前記筐体内部から所定の位置まで引出される間は、少なくとも前記カバーの開放を制限するとともに、
前記所定の位置まで引出されたときには、この制限を解除する引出棒と、を備え、
前記引出棒を、前記前扉が閉状態において、前記所定の位置まで引出し不能としたことを特徴としたスロットマシン。
【請求項２】
前記引出棒を、正面方向と反対側に付勢する付勢手段を備えた請求項１記載のスロットマシン。
【請求項３】
前記引出棒を、正面方向を軸として回転可能に設けるとともに、
所定の回転角以外で、この引出棒の引出が制限される引出制限手段を備える請求項１又は２記載のスロットマシン。
【請求項４】
前記引出棒が、引出しに際して操作される操作端を有し、
前記操作端を、正面方向に対して後端部側に形成した請求項１〜３のいずれか一項に記載のスロットマシン。
【請求項５】
前記所定の装置を、前記引出棒が収容可能に形成するとともに、
収容された前記引出棒は、この装置から引出されるとともに、引出された前記引出棒は、この装置に押し込まれて収容される請求項１〜４のいずれか一項に記載のスロットマシン。
【請求項６】
前記カバーに、前記所定の装置内に挿入されることで、このカバーをこの装置に脱離不能に係止させる爪部を設け、
前記引出棒を前記所定の位置まで引出したときに、前記爪部の係止を解除する解除手段を備える請求項１〜５のいずれか一項に記載のスロットマシン。
【請求項７】
前記カバーを、回動されることで開閉する扉体又は、正面方向と異なる方向にスライドされることで開閉するスライド体として設けるとともに、
前記カバーに開口された前記引出棒が挿通可能な孔であって、前記引出棒がこの孔に挿入されているときに前記カバーを開放すると、この孔内壁側に引出棒外壁が当接し、当該開放を制限する当接孔を設けた請求項１〜６のいずれか一項に記載のスロットマシン。
【請求項８】
前記引出棒を、前記所定の位置まで引出した後、さらに、正面方向と直交する所定の位置に移動操作可能に設け、
前記当接孔を、前記引出棒がこの位置に移動可能な大きさに開口するとともに、前記引出棒をこの位置に移動した状態で前記カバーが開放可能となるよう、この当接孔の一部を切欠いてカバー外縁と連通させた請求項７記載のスロットマシン。
【請求項９】
正面方向に開口した筐体と、前記筐体の正面方向開口を開閉可能に覆う前扉と、を備えるスロットマシンの前記筐体内部に設けられ、抽せん確率を設定変更する場合に操作される操作部が配置された電源装置であって、
前記操作部を操作不能に覆うカバーと、
このカバーと係合し、正面方向に沿って、進退可能な棒材であって、
前記筐体内部から所定の位置まで引出される間は、少なくとも前記カバーの開放を制限するとともに、
前記所定の位置まで引出されたときには、この制限を解除する引出棒と、を備え、
前記引出棒を、前記前扉が閉状態において、前記所定の位置まで引出し不能としたこと特徴とする電源装置。
【発明の詳細な説明】
【技術分野】
【０００１】
本発明は、スロットマシンと、このスロットマシンに備える電源装置に関し、特に、内部抽せんにおける抽せん確率を設定変更可能なスロットマシンと、設定変更に関連する操作部を有する電源装置に関する。
【背景技術】
【０００２】
一般に、スロットマシンやパチンコ機等の遊技機は、ゲームの結果獲得される遊技媒体が有価価値を有するがため、遊技媒体を窃取する不正行為の対象となっている。
このような不正行為は、ゴト行為と称され、例えば、遊技機の扉などの隙間より、ピアノ線やセル等を挿入して、メダル等の遊技媒体を獲得する行為などが知られている。
また、最近では、スロットマシンにおいて、大当たりの抽せん確率の設定変更に関連する操作部を不正に操作する行為が見受けられる。
【０００３】
一般的な抽せん確率の設定変更は、設定キースイッチ（シリンダ部）に対応する設定キーを挿入・回転し、オン状態とした後に、電源スイッチをオンすることで、スロットマシンを設定可能状態とすることができるようになっている。
このような電源スイッチや設定キースイッチなどの抽せん確率の設定変更に関する操作部は、通常スロットマシンの各回路基板等に電源を供給する電源装置に備えられている。
電源装置は、スロットマシン筐体内部に配置され、筐体が施錠可能な前扉に覆われることで、操作不能となっており、設定変更の権限を有する遊技場の管理者などが、スロットマシンの前扉を開放することで、はじめて外部に露出され、設定変更の操作を行うことができるようになっている。
【０００４】
このような構成からなるスロットマシンの操作部に対して、不正行為者は、スロットマシンの前扉と筐体の隙間、又は、前扉を僅かにこじ開けた隙間などの限られたスペースを利用し、そこからピアノ線やセル、偽造した設定キー等の異物を挿入して、電源スイッチや設定キースイッチを巧みに操作する。
このような不正行為に対する対策として、以下のような技術が開示されている。
【０００５】
例えば、特許文献１〜３記載の発明では、電源装置の操作部を操作不能に覆うカバーと、このカバーに当接し、開閉を制限する制限手段が、前扉の裏面側に設けられている。
これにより、前扉が閉じられているときには、制限手段がこのカバーに当接し、カバーの開閉を制限するため、前述のようなスロットマシンの前扉と筐体の隙間から、異物が挿入されても、カバーが開閉できないようになっている。
【０００６】
【特許文献１】特開２００４−６５４９３号公報
【特許文献２】実用新案登録第３１２４７３０号公報
【特許文献３】特開２００８−７３３２７号公報
【発明の開示】
【発明が解決しようとする課題】
【０００７】
しかしながら、これらの発明はいずれも、前扉の裏面側から突出した突出物を設ける構成であるため、権限を有する遊技場の管理者が、前扉を開放して行う正規の設定変更においては、この突出物が操作の邪魔となり、作業効率を低下させるおそれがあった。
【０００８】
また、これらの発明では、カバーの開閉を規制する突出物は、カバー表面を押圧する構成からなるため、前扉が僅かに開放されただけでも、カバーの開閉の制限が解除されるため、前扉を僅かにこじ開けて行う不正操作に十分対処できないことが懸念される。
【０００９】
本発明は、以上のような問題を解決するために提案されたものであり、棒材をスロットマシン筐体内部から外部に引出さなければ、カバーが開放できない構成としている。これにより、前扉が十分に開放されていないときは、棒材が前扉裏面に当接し、カバーが開放できないため、操作部が不正に操作されることを阻止することができる。
また、棒材は、スロットマシン筐体内部に収容可能又は、取外すことができるため、遊技場の管理者が正規に行う設定変更操作時の邪魔になることもなく、作業効率を向上できる画期的なスロットマシンと電源装置の提供を目的とする。
【課題を解決するための手段】
【００１０】
上記目的を達成するため、本発明のスロットマシンは、正面方向に開口した筐体と、前記筐体の正面方向開口を開閉可能に覆う前扉と、前記筐体内部に設けられ、抽せん確率を設定変更する場合に操作される操作部が配置された所定の装置と、を備えるスロットマシンであって、前記操作部を操作不能に覆うカバーと、このカバーと係合し、正面方向に沿って、進退可能な棒材であって、前記筐体内部から所定の位置まで引出される間は、少なくとも前記カバーの開放を制限するとともに、前記所定の位置まで引出されたときには、この制限を解除する引出棒と、を備え、前記引出棒を、前記前扉が閉状態において、前記所定の位置まで引出し不能とした構成としてある。
【００１１】
また、本発明の電源装置は、正面方向に開口した筐体と、前記筐体の正面方向開口を開閉可能に覆う前扉と、を備えるスロットマシンの前記筐体内部に設けられ、抽せん確率を設定変更する場合に操作される操作部が配置された電源装置であって、前記操作部を操作不能に覆うカバーと、このカバーと係合し、正面方向に沿って、進退可能な棒材であって、前記筐体内部から所定の位置まで引出される間は、少なくとも前記カバーの開放を制限するとともに、前記所定の位置まで引出されたときには、この制限を解除する引出棒と、を備え、前記引出棒を、前記前扉が閉状態において、前記所定の位置まで引出し不能とした構成とすることができる。
【発明の効果】
【００１２】
以上のような構成からなる本発明のスロットマシンと電源装置によれば、不正な設定変更操作を確実に阻止するとともに、正規の設定変更操作時の作業効率を向上できるスロットマシンと電源装置の提供をすることができる。
【発明を実施するための最良の形態】
【００１３】
以下、本発明に係るスロットマシン及びこのスロットマシンに備える電源装置の好ましい実施形態について、図を参照して説明する。
図１は、本実施形態に係るスロットマシンを示す概略正面図であり、図２は、当該スロットマシンの内部構成を示す概略斜視図である。
これらの図に示すように、本実施形態のスロットマシン１は、従来のスロットマシンと同様に、スロットマシン１に備えられた複数のリール４１ａ，４１ｂ，４１ｃを回転させることによって遊技媒体であるメダルを獲得することができる回胴式遊技機を構成している。
【００１４】
[スロットマシン本体]
具体的には、本実施形態のスロットマシン１は、遊技者が対座する正面方向（Ａ）に開口した筐体１ｂと、筐体１ｂの正面方向（Ａ）開口を開閉可能に覆う前扉１ａから構成されている。
前扉１ａは、図１及び図２に示すように、スロットマシン１の筐体１ｂにヒンジ等を介して開閉自在に取り付けられる扉体で、この前扉１ａに遊技操作に係る各装置等が備えられてスロットマシン１の正面部を構成している。
なお、以下の説明において、左右、上下、手前、奥など方向を示す場合、正面方向（Ａ）に対座する遊技者からみた方向としてある。
【００１５】
前扉１ａの中央右側には、スロットマシン遊技に使用するメダルを投入するメダル投入口２が配置され、所定数（例えば、３枚）のメダルが投入されることで、ゲーム可能な状態にすることができる。
前扉１ａの中央左側には、スタートレバー３が設けられている。
スタートレバー３は、ゲーム可能な状態において、操作されることで、スロットマシン遊技が開始され、リール４１ａ，４１ｂ，４１ｃが回転開始するスタート手段である。
前扉１ａの中央部には、各リール４１に対応して停止ボタン５ａ，５ｂ，５ｃが設けられており、遊技者により、各停止ボタン５が押下操作されることで、回転している各リール４１を停止させることができる。
【００１６】
前扉１ａの中央上側には表示窓６が設けられており、停止状態にある各リール４１に表された縦方向に連続する３つの図柄が、当該表示窓６を介して視認できるようになっている。
前扉１ａの下部には、メダル払出口７ａが設けられ、メダルが当該メダル払出口７ａから払出されるようになっている。
【００１７】
筐体１ｂの中央には、リール４１ａ，４１ｂ，４１ｃと、各リール４１を回転させる図示しないステッピングモータ及び回転位置を検出するセンサなどを備えるドラムユニット４が設けられている。
さらに、筐体１ｂの下部には、メダルを貯留・払出するメダル払出装置７が設けられ、各リール４１に表された縦方向に連続する３つの図柄の組合せが所定の組合せで停止表示された場合、所定数のメダルが上記のメダル払出口７ａから払出されるようになっている。
また、筐体１ｂの上部には、上記の各装置を制御することでスロットマシン遊技の進行を管理し、制御手段として機能する主基板とこれを収容する樹脂ケースとからなる主基板ユニット８が設けられている。
そして、筐体１ｂ内部であって、メダル払出装置７の左側には、本発明の電源装置９が設けられている。
【００１８】
[電源装置]
以下、本発明の電源装置９について、複数の実施形態を挙げて詳述する。
本実施形態の電源装置９は、上記の各装置に適した電源を生成し、供給するとともに、操作により、大当たりとなる抽せん確率を設定変更可能な操作部を備えている。
電源装置９は、鋼板を加工して筐体状に形成したもので、図示しない電源基板等が内蔵されている。
本実施形態の操作部としては、例えば、後述する第一実施形態を説明する図３に示すように、電源スイッチ９ａや設定キースイッチ９ｂがあり、これらは、電源装置９の正面方向（Ａ）に集中して配置されている。これらの操作部を操作して行う設定確率の変更は、以下の通りである。
【００１９】
例えば、まず、設定キースイッチ９ｂに対応する設定キーを挿入してオン操作し、その後、電源スイッチ９ａをオンすると、スロットマシン１が設定変更可能な状態となる。この状態で、図示しない確率切替スイッチやスタートレバー３を押下操作すると、所望する確率に設定される。
【００２０】
このような電源スイッチ９ａや設定キースイッチ９ｂは、前扉１ａと筐体１ｂの隙間からピアノ線やセル、偽造した設定キー等の異物を挿入し、又は前扉１ａを僅かにこじ開け、不正に操作されることがある。
そこで、本実施形態の電源装置９は、これらの操作部を操作不能に覆う本発明のカバー１０と、このカバー１０とに係合する本発明の引出棒１１とが設けられ、このような不正な操作を阻止できるようになっている。
以下、各実施形態に係る電源装置９について、図を参照して説明する。
【００２１】
[第一実施形態]
図３は、第一実施形態に係る電源装置の概略斜視図であり、図４は、図３におけるＣ−Ｃ断面図である。
カバー１０は、開閉可能な扉体として構成され、ヒンジ１０ａを軸として電源装置９に取付けられている。カバー１０は、透明な樹脂で成形されている。
カバー１０は、図３（ａ）に示すような閉状態で、電源スイッチ９ａと設定キースイッチ９ｂを操作不能に覆い、図３（ｃ）に示すような開状態で、これらを操作可能に露出させる。
【００２２】
また、カバー１０には、引出棒１１が挿通可能な当接孔１００が設けられており、この当接孔１００を介して、カバー１０と引出棒１１は係合している。
本実施形態の当接孔１００は、図３（ｂ）に示すようなＬ字状の切欠部であって、当接溝１００ａと切欠溝１００ｂとからなる。
【００２３】
当接溝１００ａは、引出棒１１を上方から挟むように設けられている。このため、カバー１０を開放しようとすると、同図に示すように、引出棒１１の右側面１１ａが当接溝１００ａの右内側面に当接し、カバー１０の開放が制限される。
一方、切欠溝１００ｂは、当接溝１００ａの下方に位置し、カバー１０の右外縁と連通されている。このため、引出棒１１を図３（ｃ）に示すように垂下方向（Ｂ）に押下げ、この位置で、カバー１０を開放すると、カバー１０は引出棒１１に制限されず、開放することできる。
また、引出棒１１のフック１１２が嵌入するフック穴１０１が設けられている。
【００２４】
引出棒１１は、電源装置９の奥行きとほぼ同じ長さを有し、角柱状に形成された鋼材である。
電源装置９の正面側には、引出棒１１が挿通可能な挿通孔９２が開口され、引出棒１１は、この挿通孔９２を介して、電源装置９から引出され、又押し込まれて電源装置９に収容される。
【００２５】
電源装置９の右側面には、引出棒１１と一体に形成された操作端１１１が突出している。この操作端１１１は、指で摘んで操作可能に形成されている。
また、操作端１１１は、電源装置９の右側面に開口されたガイド溝９１に沿って、操作することができる。
【００２６】
ガイド溝９１は、正面ガイド溝９１ａと垂直ガイド溝９１ｂとからなる。正面ガイド溝９１ａは、正面方向（Ａ）に沿って開口され、垂直ガイド溝９１ｂは、電源装置９の正面方向側に位置し、正面ガイド溝９１ａと連通するとともに、この正面ガイド溝９１ａから垂下方向（Ｂ）に沿って開口されている。
【００２７】
操作端１１１を、正面ガイド溝９１ａに沿って前後に操作すると、引出棒１１が、電源装置９から引出され、又は電源装置９に押し込まれる。
一方、操作端１１１を、正面ガイド溝９１ａに沿って、正面方向（Ａ）に操作した後、垂直ガイド溝９１ｂに沿って、垂下方向（Ｂ）に操作すると、引出棒１１が、垂下方向（Ｂ）に移動する。
すなわち、引出棒１１が垂下方向（Ｂ）に移動した状態では、引出棒１１はカバー１０の切欠溝１００ｂに位置することから、カバー１０は引出棒１１に制限されず、開放することできる。
【００２８】
このように、正面方向（Ａ）と垂下方向（Ｂ）の二方向に操作しなければ、カバー１０を開放することができないため、前扉１ａと筐体１ｂの隙間や、前扉１ａを僅かにこじ開けた隙間などの限られたスペースで行う不正操作をより困難にすることができる。
なお、ガイド溝９１から異物が挿入され、内蔵された電源基板等を不正に操作される場合がある。そこで、図３（ｃ）に示すように、引出棒１１が収容される空間を独立させるシールド板９６を設けてある。これにより、異物の電源基板等までの到達を阻止できる。
【００２９】
次に、本実施形態に係る引出棒１１の取り付け状態について、図４を参照して説明する。
図４（ａ）は、引出棒１１が、電源装置９に収容された状態であって、カバー１０が閉状態を示し、図４（ｂ）は、引出棒１１が、前扉１ａに当接するまで正面方向（Ａ）に引出された状態を示している。また、図４（ｃ）は、引出棒１１が、正面方向（Ａ）に引出され、さらに、垂下方向（Ｂ）に移動された状態であって、カバー１０が開状態を示している。
【００３０】
図４（ａ）に示すように、引出棒１１は、電源装置９に収容された状態において、垂下方向（Ｂ）に移動可能な浮動台９３、固定台９５、上記のシールド板９６と電源装置９の筐体に囲まれた角筒状の空間に配置されている。
また、引出棒１１は、バネ１２を介して、浮動台９３に取り付けられ、バネ１２によって正面方向（Ａ）と反対側（筐体１ｂの奥側）に付勢されている。
このため、操作端１１１を、正面ガイド溝９１ａに沿って正面方向（Ａ）に操作し、引出棒１１を電源装置９から引出そうとしても、引出棒１１は筐体１ｂの奥側に戻されてしまう。その結果、前扉１ａと筐体１ｂの隙間や、前扉１ａを僅かにこじ開けた隙間などの限られたスペースで行う引出棒１１の引出しは、困難となり、不正操作を抑止できる。
【００３１】
そのうえ、操作端１１１は、引出棒１１の筐体１ｂ奥側（後端部側）に形成されている。
これにより、操作端１１１を摘んで、正面方向（Ａ）に操作するときには、筐体１ｂの奥側に手を伸ばさざるを得ないことから、限られたスペースで行う引出棒１１の引出しをより困難にさせている。
【００３２】
さらに、図４（ｂ）に示すように、操作端１１１を、正面ガイド溝９１ａに沿って正面方向（Ａ）に操作すると、引出棒１１が、電源装置９から引出されるが、前扉１ａが閉状態や前扉１ａが僅かに開いている状態にあるときには、引出棒１１のフック１１２が前扉１ａの裏面に当接する。
同図に示すように、この当接位置では、操作端１１１は、垂直ガイド溝９１ｂにまで至らないため、引出棒１１を垂下方向（Ｂ）に移動させることができない。
【００３３】
すなわち、前扉１ａと筐体１ｂの隙間からピアノ線やセル、偽造した設定キー等の異物を挿入し、又は前扉１ａを僅かにこじ開けて、引出棒１１を引出しても、カバー１０を開放可能な位置まで、引出棒１１を引出すことができないため、不正な設定変更操作を阻止することができる。
言い換えると、垂直ガイド溝９１ｂに至るまで、操作端１１１を操作し、この垂直ガイド溝９１ｂに沿って垂下方向（Ｂ）に操作するまでは、カバー１０の閉状態を維持することができる。
また、本実施形態では、電源装置９を、前扉１ａが開閉するヒンジ側（筐体１ｂ左側）に配置してある。このように配置したのは、前扉１ａのヒンジ側は、前扉１ａの開閉動作において、正面方向（Ａ）の移動範囲が狭いことから、前扉１ａを十分大きく開放しなければ、引出棒１１の前扉１ａの裏面への当接を回避できないためである。これにより、限られたスペースで行う不正操作を抑止できる。
【００３４】
一方、図４（ｃ）に示すように、前扉１ａが開状態においては、操作端１１１を、さらに正面ガイド溝９１ａに沿って、正面方向（Ａ）に操作することができる。
そして、操作端１１１を、垂直ガイド溝９１ｂまで至らしめた後、この垂直ガイド溝９１ｂに沿って垂下方向（Ｂ）に操作すると、これに伴い、浮動台９３が固定台９５の側面に摺接しつつ下方に移動し、引出棒１１を垂下方向（Ｂ）に移動させることができる。
これにより、カバー１０を開放させることができる。
遊技場の管理者による設定変更操作では、このように前扉１ａを開状態として行うことから、引出棒１１の引出しが何ら妨げられることなく、円滑な作業が担保される。
【００３５】
また、設定変更の作業中において、引出棒１１が引出された状態では、作業の邪魔になることもある。このようなときには、カバー１０を開放させた状態で、上記の逆の操作をすることで、引出棒１１を電源装置９に収容させることもできる。これにより、設定変更操作時の作業効率を向上させることができる。
【００３６】
また、浮動台９３の下部には、バネ９３ａの一端側が取り付けられている。バネ９３ａの他端側は、電源装置９の底部を形成してなる固定台９４に固着されている。その結果、図４（ｃ）に示すように、引出棒１１が垂下方向（Ｂ）に移動されている位置では、縮んだ状態であり、上方の復元力が引出棒１１に作用している。また、このときには、バネ１２も縮み、引出棒１１を筐体１ｂ奥側に付勢させる復元力も作用している。
このため、引出棒１１を電源装置９に収容させようとして、操作端１１１を、垂直ガイド溝９１ｂ沿って、上方に操作する際には、垂下方向（Ｂ）に操作するよりも、少ない力で操作することができるとともに、バネ１２の復元力によって、引出棒１１を自動的に収容させることができる。
これにより、設定変更の作業中における引出棒１１の収容や、設定作業終了後に引出棒１１を収容する際の労力が軽減され、作業効率が向上する。
【００３７】
このように、本実施形態の電源装置９は、前扉１ａと筐体１ｂの隙間や、前扉１ａを僅かにこじ開けた隙間などの限られたスペースで行う不正な設定変更操作を確実に阻止するとともに、正規の設定変更操作時の作業効率が向上する。
【００３８】
[第二実施形態]
次に、異なる実施形態の電源装置９について説明する。
図５は、第二実施形態に係る電源装置９の概略斜視図であり、図６は、図５におけるＤ−Ｄ断面図である。
各図に示す電源装置９は、主にカバー１０及び引出棒１１の構成が上述した第一実施形態と異なっている。その他の構成部分は、第一実施形態とほぼ同様となっており、同様の構成部分については、図中で第一実施形態と同一符号を付し、詳細な説明は省略する。
【００３９】
本実施形態のカバー１０は、第一実施形態と同様に扉体として構成され、ヒンジ１０ａを軸として電源装置９に開閉可能に取付けられている。
当接孔１００は、図５（ｂ）に示すように、引出棒１１が挿通するコ字状の切欠部として形成されている。
このようにカバー１０は、当接孔１００を介して、引出棒１１と係合しているが、本実施形態の当接孔１００は、カバー１０の右外縁と連通されていることから、引出棒１１によって制限されずに、カバー１０を開放できる。
【００４０】
そこで、本実施形態のカバー１０は、図５（ｃ）に示すように、カバー１０の裏面側に爪部１０２を突設してある。
この爪部１０２は、図６（ａ）に示すように、カバー１０が閉状態にあるときに、電源装置９内部のシールド板９６に設けられた爪部９６３と係止可能に構成されている。
すなわち、カバー１０を閉じ、カバー１０の裏面側を電源装置９の正面に当接させることで、爪部１０２と爪部９６３とが係止した状態となり、カバー１０を電源装置９から脱離不能とすることができる。
そして、この係止状態は、図５（ｂ），（ｃ）に示すように、引出棒１１を反時計回りに９０度回転するとともに、電源装置９から引出すことで、係止状態を解除することができる。なお、この係止状態の解除についての詳細な説明は後述する。
【００４１】
本実施形態の引出棒１１は、正面方向（Ａ）を軸として回転可能な丸棒材からなり、操作端１１１を正面方向側に形成してある。
操作端１１１には、軸方向に沿って、引出棒１１の半径方向に延出したつまみ部１１１ａを設けてある。これにより、引出棒１１を回転させる際の操作が容易となる。
【００４２】
次に、引出棒１１の取り付け状態について、図６を参照して説明する。
図６（ａ）は、引出棒１１が、電源装置９に収容された状態であって、カバー１０が閉状態を示し、図６（ｂ）は、引出棒１１を、反時計回りに９０度回転させた状態を示している。また、図６（ｃ）は、引出棒１１が正面方向（Ａ）に引出され、操作端１１１が前扉１ａの裏面に当接した状態を示し、図６（ｄ）は、引出棒１１が、さらに引出され、爪部１０２と爪部９６３との係止状態が解除された状態を示している。
【００４３】
図６（ａ）に示すように、引出棒１１は、電源装置９に収容された状態において、シールド板９６と電源装置９の筐体に囲まれた角筒状の空間に配置されている。
また、引出棒１１は、バネ１２を介して、シールド板９６の奥側面に取り付けられ、バネ１２によって正面方向（Ａ）と反対側（筐体１ｂの奥側）に付勢されている。
【００４４】
引出棒１１には、軸方向に沿って、引出棒１１の半径方向に延出したキー１１３と、突起部１１４が設けてある。
シールド板９６には、爪部９６３と、この爪部９６３の奥側に爪おこし部９６２が設けられている。この爪おこし部９６２は、突起部１１４の斜面１１４ａが摺接する斜面９６２ａを有している。
さらに、シールド板９６には、キー溝９６１が開口されている。このキー溝９６１は、引出棒１１の外径より僅かに大きな内径を有するとともに、キー１１３が挿通可能なように水平左側のみを切り欠いてある。
すなわち、図６（ａ）に示すように、例えば、キー１１３が上方（９０度）に位置する場合において、操作端１１１を正面方向（Ａ）に操作し、引出棒１１を電源装置９から引出そうとしても、キー１１３の手前側がキー溝９６１の壁面に当接し、引出棒１１が引出し不能となる（引出制限手段）。
【００４５】
従って、引出棒１１を引出すためには、図６（ｂ）に示すように、まず、操作端１１１のつまみ部１１１ａを反時計回りに９０度回転し、キー１１３をキー溝９６１の切り欠きに位置するように位置合わせを行い、その後、操作端１１１を正面方向（Ａ）に操作することで、キー１１３をキー溝９６１に挿通させることができる。このように、正面方向（Ａ）の操作のみならず、つまみ部１１１ａを回転操作し、位置合わせを行わなければ、カバー１０を開放することができないため、前扉１ａと筐体１ｂの隙間や、前扉１ａを僅かにこじ開けた隙間などの限られたスペースで行う不正操作が困難となる。
【００４６】
そのうえ、キー１１３をキー溝９６１に挿通させ、さらに、操作端１１１を正面方向（Ａ）に操作し、引出棒１１を電源装置９から引出しても、図６（ｃ）に示すように、前扉１ａが閉状態や僅かに開いている状態にあるときには、操作端１１が前扉１ａの裏面に当接する。
この当接位置では、同図に示すように、爪部１０２と爪部９６３との係止状態が解除されないため、カバー１０は開放不能な状態となっている。
すなわち、前扉１ａと筐体１ｂの隙間からピアノ線やセル、偽造した設定キー等の異物を挿入し、又は前扉１ａを僅かにこじ開けて、引出棒１１を引出しても、爪部１０２と爪部９６３との係止状態が解除される位置まで、引出棒１１を引出すことができないため、カバー１０を開放することができない。
【００４７】
一方、図６（ｄ）に示すように、前扉１ａが開状態においては、さらに、操作端１１１を正面方向（Ａ）に操作し、引出棒１１を電源装置９から十分に引出すことができる。
その結果、突起部１１４の斜面１１４ａが、爪おこし部９６２の斜面９６２ａに当接する。この当接位置は、前扉１ａが開状態であるときにのみ達することができる。
さらに、引出棒１１を引出すと、突起部１１４の斜面１１４ａに沿って、爪おこし部９６２が押し上げられる。これにより、同図に示すように、爪部１０２と爪部９６３との係止状態が解除され、カバー１０を開放することができる（解除手段）。
【００４８】
すなわち、突起部１１４（斜面１１４ａ）が爪おこし部９６２（斜面９６２ａ）に当接するまで、引出棒１１が引出される間は、爪部１０２と爪部９６３との係止状態が維持され、カバー１０は、電源装置９に脱離不能に係止されている。
一方、突起部１１４（斜面１１４ａ）が爪おこし部９６２（斜面９６２ａ）に当接し、さらに、引出棒１１が引出されると、係止状態が解除され、カバー１０を開放することができる。
また、カバー１０を開放した後、引出棒１１は、バネ１２の復元力で、電源装置９に自動的に収容されるため、引出棒１１が設定変更作業の邪魔になることはない。
【００４９】
[第三実施形態]
次に、異なる実施形態の電源装置９について説明する。
図７は、第三実施形態に係る電源装置９の概略斜視図である。
同図に示す電源装置９は、主にカバー１０及び引出棒１１の構成が前述の実施形態と異なっている。その他の構成部分は、前述の実施形態とほぼ同様となっており、同様の構成部分については、図中で同一符号を付し、詳細な説明は省略する。
【００５０】
本実施形態のカバー１０は、図７に示すように、上下方向にスライドするスライド体として構成されている。
図７（ａ）は、カバー１０が下方にスライドされた閉状態を示し、図７（ｂ）は、カバー１０が上方にスライドされた開状態を示している。
本実施形態の当接孔１００は、引出棒１１が挿通可能な丸孔として形成されており、この当接孔１００を介して、カバー１０と引出棒１１は係合している。
【００５１】
引出棒１１は、第二実施形態と同様、丸棒材からなり、操作端１１１を正面方向側に形成してある。また、操作端１１１には、つまみ部１１１ａを設けてある。
このつまみ部１１１ａは、引出棒１１を電源装置９に押し込んだときに、カバー１０の表面に当接するようになっている。
本実施形態の引出棒１１は、電源装置９と係合することなく、別体として設けてあり、電源装置９の挿通孔９２を介して、電源装置９から引出したり、又は押し込んで収容したりできる。
また、本実施形態のシールド板９６は、引出棒１１の外径より僅かに大きな内径を有する円筒状に形成され、引出棒１１を円滑に出し入れできる。
【００５２】
このような構成からなる本実施形態の電源装置９では、図７（ａ）に示すように、カバー１０が閉状態にあり、引出棒１１が、電源装置９に収容されているときに、カバー１０を上方にスライドさせ、開状態にしようとすると、当接孔１００の内壁面が引出棒１１の外周に当接し、スライドが制限される。
一方、操作端１１１を、正面方向（Ａ）に操作し、引出棒１１を電源装置９から引出し、図７（ｂ）に示すように、さらに電源装置９から引抜くことで、制限が解除され、カバー１０を開放することができる。
なお、引出棒１１は、前扉１ａが開状態である場合に限り、電源装置９から引抜き可能であり、扉１ａが閉状態や僅かに開いている状態にあるときには、操作端１１１が、前扉１ａの裏面に当接し、カバー１０の上方へのスライドを制限するようになっている。
【００５３】
また、引抜いた引出棒１１は、別置きしておけばよいことから、特に、設定変更作業の邪魔になることはない。
このように、本実施形態では、簡易な構成で、不正な設定変更操作を確実に阻止するとともに、正規の設定変更操作時の作業効率を向上できる。
【００５４】
以上、本発明のスロットマシン及びこのスロットマシンに備える電源装置について、好ましい実施形態を示して説明したが、本発明に係るスロットマシン及びこのスロットマシンに備える電源装置は、上述した実施形態にのみ限定されるものではなく、本発明の範囲で種々の変更実施が可能であることは言うまでもない。
例えば、本発明のスロットマシンでは、カバー１０と引出棒１１を電源装置９に設けたが、メダル払出装置７や、筐体１ｂ側に設けることもできる。
この場合、極端には、カバー１０が筐体１ｂの正面開口全体を覆うとともに、引出棒１１をこれに係合させる構成とすることもできる。
【００５５】
また、第一実施形態のカバー１０は、扉体として構成したが、左方にスライドすることで、開状態となるスライド体とすることもできる。この場合、他の構成は全く同じ構成とすることができ、第一実施形態と同様な作用効果を奏する。
【００５６】
また、各実施形態の引出棒１１は、前扉１ａの裏面に当接するまで引出し可能な余地を設けたが、前扉１ａが閉状態において、当初から前扉１ａの裏面に当接するように、引出棒１１を正面方向に伸長することもできる。
【００５７】
また、各実施形態のスロットマシンは、遊技媒体をメダルとするスロットマシンとしたが、これに限らず、パチンコ玉を遊技媒体とするパチロット，パロットなどの回胴式遊技機も本発明の適用対象とすることができる。
【産業上の利用可能性】
【００５８】
本発明は、設定確率を変更可能な機能を有するスロットマシンに広く利用することができる。
【図面の簡単な説明】
【００５９】
【図１】本発明の一実施形態に係るスロットマシンを示す概略正面図である。
【図２】本発明の一実施形態に係るスロットマシンの内部構成を示す概略斜視図である。
【図３】本発明の第一実施形態に係る電源装置の概略斜視図である。
【図４】本発明の第一実施形態に係る電源装置の断面図である。
【図５】本発明の第二実施形態に係る電源装置の概略斜視図である。
【図６】本発明の第二実施形態に係る電源装置の断面図である。
【図７】本発明の第三実施形態に係る電源装置の概略斜視図である。
【符号の説明】
【００６０】
１  スロットマシン
１ａ  前扉
１ｂ  筐体
２  メダル投入口
３  スタートレバー
４  ドラムユニット
４１ａ，４１ｂ，４１ｃ  リール
５（５ａ，５ｂ，５ｃ）  停止ボタン
６  表示窓
７  メダル払出装置
７ａ  メダル払出口
８  主基板ユニット
９  電源装置
１０  カバー
１００  当接孔
１１  引出棒
１２  バネ
【図１】
2010063653.tif 000003
【図２】
2010063653.tif 000004
【図３】
2010063653.tif 000005
【図４】
2010063653.tif 000006
【図５】
2010063653.tif 000007
【図６】
2010063653.tif 000008
【図７】
2010063653.tif 000009